(57)【要約】【課題】  ターンテーブルの回転数を制御可能なペダル装置を備えた陶芸用ろくろにおいて、作陶者がペダル装置から体を離してもターンテーブルの回転数が変化しないようにすることにある。【解決手段】  このペダル装置９は、ターンテーブル３の回転数を制御するための装置であって、筐体部１１と、シャフト３１と、操作ペダル１３と、摩擦部材１７とを備えている。シャフト３１は、筐体部１１を貫通して配置される。操作ペダル１３は、筐体部１１にシャフト３１回りにシャフト３１と共に回動自在に装着され、筐体部１１との相対角度に応じてターンテーブル３の回転数を変更するためのものである。摩擦部材１７は、操作ペダル１３に操作力が加えられていないときに操作ペダル１３が回動するのを規制する。【選択図】      図４
2005074804.tif 000002
【特許請求の範囲】
【請求項１】
ターンテーブルの回転数を制御するためのペダル装置であって、
筐体部と、
前記筐体部を貫通して配置されるシャフトと、
前記筐体部に前記シャフト回りに前記シャフトと共に回動自在に装着され、前記筐体部との相対角度に応じて前記ターンテーブルの回転数を変更するための操作ペダルと、
前記操作ペダルに操作力が加えられていないときに前記操作ペダルが回動するのを規制する抵抗力発生機構と、
を備えた陶芸用ろくろのペダル装置。
【請求項２】
前記抵抗力発生機構は、摩擦力により前記操作ペダルの回動を規制する、
請求項１に記載の陶芸用ろくろのペダル装置。
【請求項３】
前記抵抗力発生機構は、前記シャフトにのみ配置にされた摩擦部材を有している、請求項１または２に記載の陶芸用ろくろのペダル装置。
【請求項４】
前記操作ペダルは、前記シャフトの両端部にそれぞれ連結されるとともに前記筐体部を対向する両側から隙間を介して挟持するよう配置される１対の挟持部を有し、
前記抵抗力発生機構は、前記挟持部と前記筐体部との間の前記隙間に配置される摩擦部材を有し、
前記挟持部と前記筐体部とは前記摩擦部材を介して互いに圧接されている、
請求項１から３のいずれかに記載の陶芸用ろくろのペダル装置。
【請求項５】
前記シャフトは、両端部にネジ溝が形成されており、
前記操作ペダルは、前記シャフトの両端部に螺合する複数のナットをさらに有している、
請求項４に記載の陶芸用ろくろのペダル装置。
【請求項６】
前記筐体部の内部で前記シャフトに装着されたギヤと、
前記筐体部の内部に配置され、前記操作ペダルと前記筐体部との相対角度によって前記モータに供給される電力の抵抗を変化させるとともに、前記ギヤに係合可能な軸部を有する可変抵抗器とをさらに備えた、
請求項１から５のいずれかに記載の陶芸用ろくろのペダル装置。
【請求項７】
ターンテーブルと、
前記ターンテーブルを回転駆動するためのモータと、
前記ターンテーブルが上方側に配置されるよう前記モータを支持する支持台と、
請求項１から６のいずれかに記載のペダル装置と、
を備えた陶芸用ろくろ。
【発明の詳細な説明】
【技術分野】
【０００１】
本発明は、陶芸用ろくろのペダル装置、特に、ターンテーブルの回転数を制御するためのペダル装置に関する。また、本発明は、そのようなペダル装置を備えた陶芸用ろくろに関する。
【背景技術】
【０００２】
陶芸用ろくろは、一般に、ターンテーブルと、ターンテーブルを回転駆動するためのモータと、モータが取り付けられる支持台と、ターンテーブルの回転数を操作するための操作部材とを備えている。このような陶芸用ろくろでは、作陶者が、操作部材を操作することでターンテーブルの回転数を調節することができるようになっている。
【０００３】
陶芸用ろくろの操作部材として、ペダル装置を備えたものは既に提案されている（例えば、特許文献１及び２参照）。このようなペダル装置は、一般に、筐体部と、操作ペダルと、可変抵抗器と、接続用コードとを備えている。操作ペダルは、筐体部に水平軸周りに回動自在に装着されている。可変抵抗器は、筐体部内部に設けられ、操作角度に応じて抵抗が変化するよう構成されている。
【０００４】
この陶芸用ろくろでは、作陶者が足で操作ペダルを踏んで操作角度を変えると、可変抵抗器の抵抗が変化して、ターンテーブルの回転数が変化する。
【特許文献１】特開平１１−２０７７１３号公報
【特許文献２】米国特許第３７９６１０５号明細書
【発明の開示】
【発明が解決しようとする課題】
【０００５】
上記従来の陶芸用ろくろのペダル装置では、姿勢を変えて或いは立って作業を行いたいような場合は、通常、一旦足をペダル装置から離す必要がある。
【０００６】
しかしながら、操作ペダルは、上記のように、筐体部に対し回動自在であるため、足を離すと、筐体部との相対角度が変化して可変抵抗器の抵抗が変化し、ターンテーブルの回転数が変わってしまう。このため、作陶者は、ターンテーブルの回転数が変わってしまうのを避けるために、そのまま同じ姿勢を保つ、或いは、足をペダル装置に載せた状態で姿勢を変える若しくは立ち上がるといったことを余儀なくされる。
【０００７】
また、従来のペダル装置では、作陶者が作陶に集中するあまりペダル装置から足をうかせてしまったり、足がずれてしまったりしたときに、ターンテーブルの回転数が変化してしまい、作陶作業に支障がでることもある。
【０００８】
本発明の目的は、ターンテーブルの回転数を制御可能なペダル装置を備えた陶芸用ろくろにおいて、作陶者がペダル装置へ操作力を付与するのを止めてもターンテーブルの回転数が変化しないようにすることにある。
【課題を解決するための手段】
【０００９】
請求項１に係るペダル装置は、ターンテーブルの回転数を制御するためのペダル装置であって、筐体部と、シャフトと、操作ペダルと、抵抗力発生機構とを備えている。シャフトは、筐体部を貫通して配置される。操作ペダルは、筐体部にシャフト回りにシャフトと共に回動自在に装着され、筐体部との相対角度に応じてターンテーブルの回転数を変更するためのものである。抵抗力発生機構は、操作ペダルに操作力が加えられていないときに操作ペダルが回動するのを規制する。
【００１０】
請求項２に係るペダル装置は、請求項１のペダル装置において、抵抗力発生機構は、摩擦力により操作ペダルの回動を規制する。
【００１１】
請求項３に係るペダル装置は、請求項１または２のペダル装置において、シャフトにのみ配置にされた摩擦部材を有している。
【００１２】
請求項４に係るペダル装置は、請求項１から３のいずれかのペダル装置において、操作ペダルは、シャフトの両端部にそれぞれ連結されるとともに筐体部を対向する両側から隙間を介して挟持するよう配置される１対の挟持部を有している。抵抗力発生機構は、挟持部と筐体部との間の隙間に配置される摩擦部材を有している。挟持部と筐体部とは摩擦部材を介して互いに圧接されている。
【００１３】
請求項５に係るペダル装置は、請求項４のペダル装置において、シャフトは、両端部にネジ溝が形成されている。操作ペダルは、シャフトの両端部に螺合する複数のナットをさらに有している。
【００１４】
請求項６に係るペダル装置は、請求項１から５のいずれかのペダル装置において、ギヤと、可変抵抗器とを備えている。ギヤは、筐体部の内部でシャフトに装着されている。可変抵抗器は、筐体部の内部に配置され、操作ペダルと筐体部との相対角度によってモータに供給される電力の抵抗を変化させるとともに、ギヤに係合可能な軸部を有する。
【００１５】
請求項７に係る陶芸用ろくろは、ターンテーブルと、モータと、支持台と、ペダル装置とを備えている。モータは、ターンテーブルを回転駆動するためのものである。支持台は、ターンテーブルが上方側に配置されるようモータを支持する。ペダル装置は、請求項１から６のいずれかに記載のものである。
【発明の効果】
【００１６】
請求項１のペダル装置では、作陶者が操作ペダルを踏んで操作ペダルと筐体部との相対角度を変化させることにより、ターンテーブルの回転数を変化させることができる。一方、操作ペダルは、作陶者の足等が離れて、操作力が付与されなくなっても、抵抗力発生機構によって回動が規制されるため、ターンテーブルは同じ回転数で回転し続けることが可能となる。これにより、作陶者は、作陶中に姿勢を変えたり立ち上がったりすることもできるし、足がはずれてしまっても任意の回転数を維持できる。
【００１７】
請求項２のペダル装置では、具体的に、抵抗力発生機構は、摩擦力によって、操作力が付与されない場合の操作ペダルの回動を防止する。
【００１８】
請求項３のペダル装置では、具体的に、抵抗力発生機構の摩擦部材がシャフト部分にのみある。ここでは、摩擦部材がシャフトの周囲にのみ配置されており、構成が簡単になっている。
【００１９】
請求項４のペダル装置では、より具体的に、操作ペダルの挟持部と筐体部とが摩擦部材を介して圧接されることにより、操作力が作用しない場合での操作ペダルの回動が防止される。
【００２０】
請求項５のペダル装置では、ナットを回動軸に対し締め付けまたは緩めることにより、挟持部と筐体部との間の摩擦力の大きさを調節することが可能である。
【００２１】
請求項６のペダル装置は、シャフトの周囲に、摩擦部材に加えギヤを配置したことから、より簡単な構成になっている。
【００２２】
請求項７の陶芸用ろくろでは、操作力が作用しない場合でも、抵抗力発生機構によって操作力が及ばない場合の操作ペダルの回動が規制されるため、作陶者がペダル装置へ操作力を付与するのを止めても、ターンテーブルが同じ回転数で回転し続けることが可能である。
【発明を実施するための最良の形態】
【００２３】
［陶芸用ろくろの全体構成］
図１に、本発明の一実施形態が採用された陶芸用ろくろ１を示す。
【００２４】
この陶芸用ろくろ１は、ターンテーブル３と、どべ受け４と、モータ５と、支持台７と、ペダル装置９とを備えている。
【００２５】
ターンテーブル３は、円板状部材であり、上面側において作業が行われる。ターンテーブル３は、ここでは、モータ５の回転軸（図示せず）に直接装着されている。
【００２６】
どべ受け４は、ターンテーブル３の下方及び側方を覆うよう配置された皿状の部材であり、ターンテーブル３の上面から飛び散るまたは落下するどべ等を受けるためのものである。
【００２７】
モータ５は、ターンテーブル３を回転駆動させるためのものであり、ここでは、ＤＤモータ、好ましくはＤＣブラシレスモータが用いられる。モータ５は、支持台７のモータカバー７ｂ（後述）に内蔵されている。
【００２８】
支持台７は、天板部７ａと、モータカバー７ｂと、脚部７ｃとを有している。モータカバー７ｂは、天板部７ａの下面側に形成されており、モータ５の他に制御装置（図示せず）を内蔵している。モータカバー７ｂの側面には、電源スイッチ８、正転／逆転切替つまみ１０が設けられている。脚部７ｃは、天板部７ａの下面側の３カ所に下方に延びて取り付けられている。
【００２９】
［ペダル装置］
ペダル装置９は、ターンテーブル３の回転数を制御するための装置であって、図２から図５に示すように、筐体部１１と、操作ペダル１３と、シャフト３１と、可変抵抗器１５と、摩擦部材１７と、接続用コード２１とを備えている。
【００３０】
筐体部１１は、床、台等に載置されるアルミ合金製のプレート部材である。筐体部１１の側面からは、接続用コード２１が延びている。また、筐体部１１の内側には、ブラケット２５が配置され、これに可変抵抗器１５が固定されている。筐体部１１の１対の側面部１１ｃには、シャフト３１が貫通して配置される貫通孔１１ｄが形成されており、シャフト３１を回動自在に支持する。１対の側面部１１ｃは、１対の挟持部１３ｂ（後述）にそれぞれ離間して配置されている。また、１対の側面部１１ｃの貫通孔１１ｄの周囲には、僅かに凹んで形成された摩擦部材収容凹部１１ｅが形成されている。
【００３１】
操作ペダル１３は、作陶者が足を載せて操作する部材であり、筐体部１１にシャフト３１を介して回動自在に装着されている。操作ペダル１３は、ペダル部１３ａと、ペダル部１３ａの長手方向中央部から筐体部１１の下方に延びる１対の挟持部１３ｂを有している。
【００３２】
シャフト３１は、筐体部１１及び１対の挟持部１３ｂを貫通して配置される棒状部材であり、両端部に形成されたネジ溝にナット３０が装着されることで挟持部１３ｂに固定されている。シャフト３１の軸方向中央部には、ギヤ３３が一体回転可能に取り付けられている。ギヤ３３は、可変抵抗器１５のシャフトに嵌められたギヤ４１（後述）に係合している。
【００３３】
可変抵抗器１５は、モータ５を流れる電流を変えるために抵抗値を変化させるためのものである。可変抵抗器１５は、シャフトに嵌められたギヤ４１を有しており、このギヤ４１が回動することで抵抗値が変化するよう構成されている。
【００３４】
摩擦部材１７は、作陶者が足を離す等することで操作ペダル１３に操作力が加えられていない状態で、操作ペダル１３の回動を規制するための部材である。摩擦部材１７は、布入りベークライトを材質として円板状に形成された部材であり、筐体部１１の摩擦部材収容凹部１１ｅと操作ペダル１３の挟持部１３ｂとの間の隙間に１枚ずつ配置されている。摩擦部材１７は、摩擦部材収容凹部１１ｅと挟持部１３ｃに対して特に固定されずに相対回転可能であるのが好ましい。挟持部１３ｂと側面部１１ｃとは、摩擦部材１７を介して互いに圧接されており、この圧接力は、ナット３０のねじ込み量によって調節され、これにより、摩擦部材１７の摩擦力を調節することができる。この摩擦力の大きさは、具体的には、作陶者が操作ペダル１３に足を載せて操作する場合には、操作ペダル１３の回動が許容され、作陶者が操作ペダル１３から足を離した場合は操作ペダル１３の回動が規制される程度の大きさである。
【００３５】
接続用コード２１は、筐体部１１と支持台７のモータカバー７ｂとを電気的に接続するためのものであり、筐体部１１から延びて先端部がモータカバー７ｂに連結されている。
【００３６】
このように構成された陶芸ろくろ１を使用する場合は、まず、電源スイッチ８を入れ、足で操作ペダル１３を踏む。すると、操作ペダル１３と一体にシャフト３１及びギヤ３３が回転すると、シャフトに嵌められたギヤ４１が回動して可変抵抗器１５の抵抗値を変化させる。これにより、モータ５にかかる電圧が変化し、モータ５が回転駆動してターンテーブル３が回転し始める。また、作陶者は、操作ペダル１３を深く踏み込むことで、ターンテーブル３を高速で回転させることができる。
【００３７】
このように、この陶芸用ろくろ１では、作陶者が操作ペダル１３を踏んで操作ペダル１３と筐体部１１との相対角度を変化させることにより、ターンテーブル３の回転数が変化するが、この相対角度は、作陶者が操作ペダル１３から足を離しても、摩擦部材１７と挟持部１３ｃ及び側面部１１ｃとの間に生じる摩擦力によって維持されるため、ターンテーブル３は同じ回転数で回転し続けることが可能となる。これにより、作陶者は、例えば、陶芸作業の途中でペダル装置９から足を離して姿勢を変えたり立ち上がったりして、作業を続けることができるようになる。
【００３８】
また、このペダル装置９では、ナット３０をシャフト３１に対し締め付けまたは緩めることにより、１対の挟持部１３ｂが撓み、挟持部１３ｂと側面部１１ｃとの間の摩擦力の大きさを調節し、摩擦部材１７と挟持部１３ｂと側面部１１ｃとの間の摩擦力の大きさを調節することが可能である。
【００３９】
［他の実施形態］
ペダル装置は、ケーブル延長式のものに限らず、支持台７に直接設けられたものであってもよい。
【産業上の利用可能性】
【００４０】
本発明によれば、作陶者が操作ペダルを踏んで操作ペダルと筐体部との相対角度を変化させることにより、ターンテーブルの回転数を変化させることができるが、この相対角度は、作陶者の足等が操作ペダルから離れても抵抗力発生機構によって維持される。このため、ターンテーブルは、作陶者が操作ペダルから離れた後も同じ回転数で回転し続けることが可能となり、これにより、作陶者は、姿勢を変えたり立ち上がったりして作業を続けることができるようになる。
【図面の簡単な説明】
【００４１】
【図１】本発明の一実施形態が採用された陶芸用ろくろを一部透視して示す側面図。
【図２】閉姿勢にある前記陶芸用ろくろのペダル装置を一部破断して示す側面図。
【図３】開姿勢にある前記ペダル装置を示す縦断面図。
【図４】前記ペダル装置を一部透視して示す後方側面図。
【図５】前記ペダル装置を一部破断して示す底面図
【符号の説明】
【００４２】
１  陶芸用ろくろ
３  ターンテーブル
５  モータ
７  支持台
９  ペダル装置
１１  筐体部
１３  操作ペダル
１５  可変抵抗器
１７  摩擦部材
２１  接続用コード
３０  ナット
３１  シャフト
３３  ギヤ
【図１】
2005074804.tif 000003
【図２】
2005074804.tif 000004
【図３】
2005074804.tif 000005
【図４】
2005074804.tif 000006
【図５】
2005074804.tif 000007